(57)【要約】 【課題】  ディスクカートリッジにおいて、ファイル情報や生産情報等を記録した無線タグを世代識別部材等、他の識別部材とともに少ないスペースに取り付けることができるようにする。【解決手段】  扁平なハウジング内に円盤状の記録媒体５を回転可能に収容してなるディスクカートリッジ３０において、ハウジングにはハウジングの一部に開口を有する収容部３４が形成され、収容部３４内に無線タグ５０と、開口に臨む識別部材３６とが積層されて配置され、ハウジングの開口を除く表面の一部に無線タグ５０のアンテナ４６が貼着されている。【選択図】          図１
2005276300.tif 000002
【特許請求の範囲】
【請求項１】
扁平なハウジング内に円盤状の記録媒体を回転可能に収容してなるディスクカートリッジにおいて、
前記ハウジングには該ハウジングの一部に開口を有する収容部が形成され、該収容部内に無線タグと、前記開口に臨む識別部材とが積層されて配置され、前記ハウジングの前記開口を除く表面の一部に前記無線タグのアンテナが貼着されていることを特徴とするディスクカートリッジ。
【請求項２】
前記ハウジングが、前記記録媒体を覆う２つの金属製のシェル半体と、該シェル半体を支持するフレームを有し、前記収容部が前記フレームに形成され、前記アンテナが電磁遮蔽シートを介して前記シェルの表面に貼着されていることを特徴とする請求項１記載のディスクカートリッジ。
【請求項３】
扁平なハウジング内に円盤状の記録媒体を回転可能に収容してなるディスクカートリッジにおいて、
前記ハウジングには該ハウジングの一部に、両端に開口を有する収容部が形成され、該収容部内に無線タグと、該無線タグを両側から挟むように識別部材が積層されて配置され、前記ハウジングの前記開口を除く表面の一部に前記無線タグのアンテナが貼着されていることを特徴とするディスクカートリッジ。
【請求項４】
扁平なハウジング内に円盤状の記録媒体を回転可能に収容してなるディスクカートリッジにおいて、
前記ハウジングには該ハウジングの一部に開口を有する収容部が形成され、該収容部内にアンテナとともに収容される無線タグと、前記開口に臨む識別部材とが前記収容部内で積層されてなることを特徴とするディスクカートリッジ。
【発明の詳細な説明】
【技術分野】
【０００１】
本発明は、例えば、デジタルカメラ等のモバイル機器に使用されるディスクカートリッジに関し、特に、複数世代に亘って略同一な外形形状を維持した状態で使用可能なディスクカートリッジに関するものである。
【背景技術】
【０００２】
従来、デジタルカメラ等のモバイル機器においては、記録媒体として例えば図６、図７に示すような「ｃｌｉｋ！（登録商標）」と呼ばれる超小型の磁気ディスクカートリッジが使用されている。
【０００３】
この磁気ディスクカートリッジ１について、図６（ａ）〜（ｃ）にロータリーシャッタ７が閉状態にある平面図、右側面図および底面図を、図７にその分解斜視図をそれぞれ示す。磁気ディスクカートリッジ１は、押込み部２ａを含む樹脂製のフレーム２と、金属薄板からなる上下シェル半体３、４とによって構成された、幅５０ｍｍ、奥行き５５ｍｍ、厚さ１．９５ｍｍの扁平なハウジング内に直径４６．５ｍｍ（約１．８インチ）の磁気ディスク（記録媒体）５を回転自在に収容している。
【０００４】
この磁気ディスクカートリッジ１は、図示しないドライブ装置に挿入態様で装填されるように構成され、磁気ディスクカートリッジ１のハウジングには、ドライブ装置が備えている磁気ヘッド（図示せず）をフレキシブル磁気ディスク５の表面にアクセスさせるためのＶ字状の切欠６と、この切欠６を開閉するためのロータリーシャッタ７とが設けられている。
【０００５】
ロータリーシャッタ７は、互いに係合された上下のシャッタ部材７Ｕ、７Ｄ（図７参照）からなり、上シャッタ部材７Ｕは上シェル半体３に、下シャッタ部材７Ｄは下シェル半体４にそれぞれ回転可能に軸支されている。そして、磁気ディスク５と上下のシャッタ部材７Ｕ、７Ｄとの間には、それぞれライナー１８が介挿されている。
【０００６】
また、図６（ａ）におけるハウジングの左側面先端部には、ドライブ装置内での位置決めのためのノッチ８が形成され、右側面先端部には、ロータリーシャッタ７を閉位置にロックするためのシャッタロック部材１１を外部に臨ませる小窓９が、図６（ｂ）に示すように形成されている。
【０００７】
ハウジングの下シェル半体４には、磁気ディスク５のセンタコア１０を外部に臨ませる円形の中心孔４ａと、ロータリーシャッタ７と同心的な円弧状溝４ｂとが形成され、下シャッタ部材７Ｄには、上記円弧状溝４ｂから突出しかつこの円弧状溝４ｂに沿って移動してロータリーシャッタ７を開閉するシャッタノブ７ｂが固設されている。
【０００８】
上シャッタ部材７Ｕと下シャッタ部材７Ｄとからなるロータリーシャッタ７は、小径の長いコイルばね１４によって閉方向（図６（ａ）において反時計回り）にばね付勢されており、このコイルばね１４の装着のためにガイドワイヤ１３がコイルばね１４内を長さ方向に貫通している。上記ガイドワイヤ１３の両端は、ロータリーシャッタ７の外周面に対向するフレーム２の左右端に係止されている。
【０００９】
ところで、上述した従来の磁気ディスクカートリッジにおいては、市場のニーズに応じて記録容量を漸次増大させた世代に代わってきている。しかし、磁気ディスクカートリッジは、世代が代わっても互換性を持たせるために略同一な外形形状を維持している。そのため磁気ディスクカートリッジが、何世代目のものであるかを識別する必要が生じる。例えば、従来の８９ｍｍ（３.５インチ）の磁気ディスクカートリッジにおいては、容量識別のため、２ＤＤ、２ＨＤ等の表示がなされていた。上記「ｃｌｉｋ！（登録商標）」のような磁気ディスクカートリッジの場合は、上シェル半体および下シェル半体にブラスト加工を施して視覚的もしくは触覚的に世代を識別するものが知られている（特許文献１）。
【００１０】
他方、世代識別だけではなく、いつ製造されたか等のディスクカートリッジの生産情報や、何回使用されたか等の使用状況に関する情報、或いは大容量化に伴って生じる膨大なファイル情報等も確認したいというディスクカートリッジ個別の情報管理が望まれるようになってきている。この一例として、記録媒体或いは個々のディスクカートリッジに非接触型のＩＣメモリ（無線タグ）を取り付けて、所望の情報が記録された記録媒体を検索するようにしたものが知られている(特許文献２)。この無線タグ内に記録された情報は、ドライブ（装置）側と互いに通信しあって、無線タグ内の情報の読み出し、或いは無線タグ内への情報の書き込み等ができるようになっている。
【特許文献１】特開２００３−３１７４３０号公報（図３、図５）
【特許文献２】特開２０００−２００４７２号公報（図１３、図１４）
【発明の開示】
【発明が解決しようとする課題】
【００１１】
上記「ｃｌｉｋ！（登録商標）」のようなディスクカートリッジは極めて小型であり、世代識別のための部材、無線タグおよび無線タグに接続されるアンテナ等を狭いスペースに組み込むことが困難であった。
【００１２】
本発明は、このような事情に鑑みてなされたものであり、ファイル情報や生産情報等を記録した無線タグを世代識別部材、書込み禁止部材等の他の識別部材とともに小さなスペースに取り付けることができるディスクカートリッジを提供することを目的とするものである。
【課題を解決するための手段】
【００１３】
本発明のディスクカートリッジは、扁平なハウジング内に円盤状の記録媒体を回転可能に収容してなるディスクカートリッジにおいて、ハウジングにはハウジングの一部に開口を有する収容部が形成され、収容部内に無線タグと、開口に臨む識別部材とが積層されて配置され、ハウジングの開口を除く表面の一部に無線タグのアンテナが貼着されていることを特徴とするものである。
【００１４】
ここで、「収容部」とは、開口が１つの場合の有底穴や、開口を両端に有する貫通孔を含むものとする。また、「識別部材」とは、ディスクカートリッジの世代即ち容量を識別する世代識別部材、書込み禁止等を識別する書込み制御部材等、あらゆる情報の識別が可能な部材を総括していうものとする。
【００１５】
また、ハウジングは、記録媒体を覆う２つの金属製のシェル半体と、シェル半体を支持するフレームを有し、収容部が前記フレームに形成され、アンテナが電磁遮蔽シートを介してシェルの表面に貼着されるよう構成することが好ましい。
【００１６】
また、本発明のディスクカートリッジは、扁平なハウジング内に円盤状の記録媒体を回転可能に収容してなるディスクカートリッジにおいて、ハウジングにはハウジングの一部に、両端に開口を有する収容部が形成され、収容部内に無線タグと、無線タグを両側から挟むように識別部材が積層されて配置され、ハウジングの開口を除く表面の一部に無線タグのアンテナが貼着されていることを特徴とするものである。
【００１７】
また、アンテナの上には、さらにアンテナを覆うようにラベルを貼り付けてもよい。
【００１８】
また、本発明のディスクカートリッジは、扁平なハウジング内に円盤状の記録媒体を回転可能に収容してなるディスクカートリッジにおいて、ハウジングにはハウジングの一部に開口を有する収容部が形成され、収容部内にアンテナとともに収容される無線タグと、開口に臨む識別部材とが収容部内で積層されていることを特徴とするものである。
【発明の効果】
【００１９】
本願第１の発明によれば、ディスクカートリッジは、ハウジングの一部に開口を有する収容部が形成され、収容部内に無線タグと、開口に臨む識別部材とが積層されて配置され、ハウジングの開口を除く表面の一部に無線タグのアンテナが貼着されているので、ファイル情報や生産情報等を記録した無線タグを、世代識別部材等、他の識別部材とともに小さなスペースにまとめて取り付けることができる。
【００２０】
また、ハウジングが、記録媒体を覆う２つの金属製のシェル半体と、シェル半体を支持するフレームを有し、収容部が前記フレームに形成され、アンテナが電磁遮蔽シートを介してシェルの表面に貼着されるよう構成されている場合は、小型のディスクカートリッジであっても、広い範囲にアンテナを配置することができる。従って、電波の受信感度が高くなり、正確な情報の受け渡しが可能になる。また、書き込み、読み出しが装置側と離れていても可能となり、ディスクカートリッジの利用の自由度が大きくなる。
【００２１】
また、本願第２の発明によれば、ディスクカートリッジは、ハウジングに形成された両端に開口を有する収容部内に無線タグと、無線タグを両側から挟むように識別部材が積層されて配置され、ハウジングの開口を除く表面の一部に無線タグのアンテナが貼着されているので、ファイル情報や生産情報等を記録した無線タグを、他の複数の識別部材とともに少ないスペースに重ねて取り付けることができる。また、複数の識別部材を一度に組み込むことができるので組立が容易になる。
【００２２】
また、本願第３の発明によれば、ディスクカートリッジのハウジングには、ハウジングの一部に開口を有する収容部が形成され、収容部内にアンテナとともに収容される無線タグと、開口に臨む識別部材とが収容部内で積層されているので、極めて小さいスペースに、これらの部材を配置することができる。
【発明を実施するための最良の形態】
【００２３】
以下、本発明によるディスクカートリッジの実施の形態について、添付図面を参照して詳細に説明する。なお、説明にあたり、前述の背景技術で説明したものと同じ部材については同じ参照番号を付して説明する。構成が同じ部分については、詳細な説明を省略乃至概略のみ説明する。
【００２４】
図１は、本発明の第１の実施形態によるディスクカートリッジ３０の分解斜視図である。図１に示すように、下シャッタ部材７Ｄは、下シェル半体４に回動可能に組みつけられ、下シェル半体４はさらにフレーム３２に取り付けられている。そして、下シャッタ部材７Ｄとフレーム３２の間には、圧縮コイルばね１４がガイドワイヤ１３を受容した状態で配置されている。フレーム３２には、両端に開口（図４（ａ））を有する矩形の貫通孔（収容部）３４がフレーム３２の一面３２ａから他面３２ｂにかけて形成されている。そしてこの貫通孔３４には、後述する識別部材３６が配置されている。
【００２５】
フレーム３２、下シェル半体４および下シャッタ部材７Ｄの組立体には、さらに、２枚のライナー１８を挟んで上シェル半体３と上シャッタ部材７Ｕの組立体が取り付けられる。これらの、フレーム３２、下シェル半体３、上シェル半体４を総括してハウジングという。なお、図中、２枚のライナー１８、１８の間に配置される磁気ディスク５（図７）は省略されている。上シェル半体３の上には、さらにフェライト等の材料からなる電波吸収シート即ち電磁遮蔽シート３８が接着される。電磁遮蔽シート３８の外形形状は、上シェル半体３の外形形状に合わせた形状をしており、全体の寸法は上シェル半体３より小さくなっている。電磁遮蔽シート３８は、フレーム３２に対応する円弧状外縁４０と、円弧状外縁４０の反対側に位置するＶ字状切欠４２およびこれらの間に位置する略平行な側縁３８ａ、３８ｂを有する。このＶ字状切欠４２は、上下シェル半体３、４のＶ字型の切欠１９に対応している。
【００２６】
電磁遮蔽シート３８の上にはフィルム状のアンテナ４６が接着される。アンテナ４６は、電磁遮蔽シート３８の側縁３８ａ、３８ｂに亘る長手方向の長さを有する矩形形状を呈しており、一端側に長手方向と直交する方向に延出した接続片４８を有する。この接続片４８は、フレーム３２の貫通孔３４を覆うように形成されている。アンテナ線４６ａは、樹脂製のフィルム４７上に印刷によりフィルム４７の外縁に沿って形成され、接続片４８に延出している。この接続片４８には無線タグ５０が、接続片４８の裏面に形成されている。この無線タグ５０について図３を参照して説明する。
【００２７】
図３は、本願発明の実施形態のアンテナの裏面を示す斜視図であり、図３（ａ）は、第１の実施形態のディスクカートリッジ３０に対応するアンテナ４６を示し、図３（ｂ）は、後述する第２の実施形態のディスクカートリッジに対応するアンテナを夫々示す。図３（ａ）に示すように接続片４８の裏面には、接続片４８を貫通して接続片４８の裏面に露出したアンテナ線４６ａの端部が露出し、無線タグ５０は、この端部に接続されて固定されている。アンテナ４６が電磁遮蔽シート３８に接着されると、アンテナ４６は図１中５２で示すように位置し、接続片４８は、電磁遮蔽シート３８の円弧状外縁４０の外側に延出する。即ち、無線タグ５０は、貫通孔３４に対応して、円弧状外縁４０の外側に位置する。
【００２８】
そして電磁遮蔽シート３８の上には、さらにラベル５４がアンテナ４６を覆うように接着される。このラベル５４によって、アンテナ４６が保護される。このラベル５４も、電磁遮蔽シート３８と同様な形状を有している。即ち、円弧状外縁５４ａおよびＶ字状切欠５４ｂを有する。そして、以上の各部品を組立てると、前述の無線タグ５０は貫通孔３４内に収容される。この貫通孔３４内の構成の詳細については後述する。
【００２９】
次に、図２を参照して本発明の第２の実施形態について説明する。図２は、本発明の第２の実施形態のディスクカートリッジ６０を示す分解斜視図である。図２において、図１と同じ参照番号を付した部品は同じ構成であるので、詳細な説明は省略する。第１の実施形態と異なる部品はアンテナ６６である。アンテナ６６は、アンテナ４６と同様な外形形状のフィルム６７を有しており、アンテナ線６６ａは、アンテナ線４６ａと同様にフィルム６７の外縁に沿って形成されている。アンテナ６６の接続片６８の裏面には、アンテナ線６６ａの電極６６ｂのみが形成されており、無線タグ５０´は取り付けられていない。この無線タグ５０´はフレーム３２の開口３４に収容されており、ディスクカートリッジ６０を組み立てると、アンテナ６６の電極６６ｂが無線タグ５０´と電気的に接触する。この構成の詳細については次に述べる。
【００３０】
図４を参照して、無線タグと識別部材がフレーム２内に積層された形状について説明する。図４は、フレームの要部拡大断面図であり、図４（ａ）は、図１の第１の実施形態、図４（ｂ）は、他の実施形態、図４（ｃ）は、さらに別の実施形態、図４（ｄ）はさらに他の実施形態をそれぞれ示す。なお、図中、アンテナ４６、６６は省略されている。
【００３１】
図４（ａ）に示すように、フレーム３２の貫通孔３４内には、アンテナ４６に固定された無線タグ５０が配置されている。アンテナ４６はフレーム３２および上シェル半体３（図１）に接着されている。無線タグ５０の下方には、フレーム３２の他面３２ｂと外面が略面一になるように位置する識別部材３６が、無線タグ５０および/または貫通孔３４に接着されて配置されている。この識別部材３６は、例えば、ディスクカートリッジ３０の世代を識別するためのものであってもよいし、容量を識別するための部材であってもよい。或いは、書き込み禁止を識別できる部材であってもよい。これらの識別は、例えば、識別部材３６の露出している外面側にエンボス加工、模様、色付け、等により視覚的、触覚的に識別できるようにしてもよく、或いは、光を反射可能な表面にして、ディスクカートリッジ３０が挿入されるドライブ（図示せず）側で読み取るようにしてもよい。
【００３２】
また、前述の第２の実施形態の場合も、図４（ａ）に示した積層状態と同じような構成となる。第２の実施形態のディスクカートリッジ６０の場合は、無線タグ５０´とアンテナ６６は固定されていないので、アンテナ６６が損傷してもアンテナ６６だけを張り替えることができる。
【００３３】
図４（ｂ）に示す他の実施形態では、フレーム７２内の、両端に開口を有する貫通孔（収容部）７４に無線タグ７６と、その両面に配置された２つの識別部材７８ａ、７８ｂが積層されて配置されている。無線タグ７６が取り付けられているアンテナ８０は、段部８０ａを経てフレーム７２、上シェル半体に延びており無線タグ７６上には、識別部材７８ａが接着されて、貫通孔７４内に配置されている。また、他の識別部材７８ｂは、識別部材７８ａと逆側で無線タグ７６を挟むように貫通孔７４内で無線タグ７６および/または貫通孔７４に接着されている。
【００３４】
また、フレームの形状は、図４（ｃ）に示すように、フレーム９２の、両端に開口を有する貫通孔（収容部）９４の周囲に、或いは部分的に平坦部９７を設けてこの平坦部９７にアンテナ９０を接着してもよい。無線タグ７６と識別部材７８ａ、７８ｂの積層状態は図４（ｂ）と同様である。
【００３５】
また、さらに他の実施形態として、フレーム１０２に、片側に開口を有する有底穴（収容部）１０４を設けた場合について図４（ｄ）を参照して説明する。この場合、無線タグ７６は、有底穴１０４に接着され、アンテナ９０は平坦部９７に接着される。この実施形態の場合、識別部材７８ａは、フレーム１０２の一面側だけに配置される。
【００３６】
以上は、アンテナ４６、６６を上シェル半体３の上に配置した構成であったが、このほかにも、種々の積層状態が考えられる。例えば、本発明の第３の実施形態として、図５にアンテナも収容部に配置したディスクカートリッジ１３０の分解斜視図を示す。なお図５中、無線タグ１３５と識別部材１３６の積層体１４０は拡大して示す。この実施形態においては、アンテナ１４６のアンテナ線１４６ａは、例えば、直方形の無線タグ１３５の周囲側面を取り巻くように形成されている。そして、無線タグ１３５の両面には、識別部材１４６が接着等により積層されている。従って、この積層体１４０を貫通孔３４内に嵌め込んで配置すると、アンテナ１４６も含めて全てが貫通孔３４内に収容されるので、積層体１４０を極めて小さいスペースに配置することができる。この実施形態の場合、ドライブ側の送受信のアンテナ（図示せず）を、ドライブに挿入された無線タグ１３５の近傍になるように配置すれば、電波は十分届くので実用上の問題はない。
【００３７】
以上、本発明の好ましい実施の形態について説明したが、上記実施形態に限定されるものではなく、種々の変形、変更が可能であることはいうまでもない。また、無線タグのメモリに記録する内容およびその使い方としては、例えば、ディスクカートリッジの使用経歴を記録し、その内容を必要なときに読み出せるようにしておくことが考えられる。使用経歴の具体例としては、（１）ディスクカートリッジのドライブへのロードまたはアンロード回数、（２）ディスクカートリッジ内のフレキシブル磁気ディスクに対して記録再生ヘッドがアクセスした回数（具体的には記録再生ヘッドがランプから離れた回数をカウントする）、（３）ディスクカートリッジ内のフレキシブル磁気ディスクのFAT（ファイナル・アロケーション・テーブル）へ記録再生ヘッドがアクセスした回数などがある。これらの情報の解析により、ディスクカートリッジの寿命予測、各種誤作動時の原因解明等が可能になる。
【００３８】
また、ディスク内容（ファイル名等）を記録すれば、多数のディスクカートリッジから目的とするディスクカートリッジを選別することが可能になる。また、無線タグのリーダ（読取装置）と表示部を有する装置、例えば、パーソナルコンピュータ、携帯電話、モバイル機器）等を使用して、ドライブにディスクを挿入せずにディスク内容を確認するという使い方もできる。
【図面の簡単な説明】
【００３９】
【図１】本発明の第１の実施形態によるディスクカートリッジの分解斜視図
【図２】本発明の第２の実施形態によるディスクカートリッジを示す分解斜視図
【図３】アンテナの裏面を示す斜視図であり、（ａ）は、第１の実施形態のディスクカートリッジに対応するアンテナを示し、（ｂ）は、第２の実施形態のディスクカートリッジに対応するアンテナをそれぞれ示す。
【図４】無線タグと識別部材がフレーム内に積層されたフレームの要部拡大断面図であり、（ａ）は、図１の実施形態、（ｂ）は、他の実施形態、（ｃ）は、別の実施形態、（ｄ）はさらに他の実施形態をそれぞれ示す。
【図５】本発明の第３の実施形態によるディスクカートリッジを示す分解斜視図
【図６】ロータリーシャッタが閉状態にあるときの公知のディスクカートリッジを示し、（ａ）は平面図、（ｂ）は右側面図、（ｃ）は底面図をそれぞれ示す。
【図７】図６に示す公知のディスクカートリッジの分解斜視図
【符号の説明】
【００４０】
３    上シェル半体
４    上シェル半体
５    記録媒体
６    切欠
３０、６０、１３０    ディスクカートリッジ
３２、７２、１０２    フレーム
３４、７４、９４、１０４    収容部
３６、７８ａ、７８ｂ、１３６    識別部材
３８    電磁遮蔽シート  
４６、６６、８０、９０、１４６
５０、５０´、７６、１３５    無線タグ
【図１】
2005276300.tif 000003
【図２】
2005276300.tif 000004
【図３】
2005276300.tif 000005
【図４】
2005276300.tif 000006
【図５】
2005276300.tif 000007
【図６】
2005276300.tif 000008
【図７】
2005276300.tif 000009